(57)【要約】【課題】  操作性を煩わせることなく、記憶されたデータのセキュリティの向上が図られた情報記憶装置及びその制御方法を提供する。【解決手段】  暗証符号が登録された読出し及び書込み可能な情報記憶手段と、暗証符号を操作者が入力する入力手段と、情報記憶装置が電子機器に装着された際に入力手段から入力された暗証符号を読み出す読出手段と、情報記憶装置に登録された暗証符号と入力手段から入力された符号が一致するか否かを判定する判定手段を有し、情報記憶装置が電子機器に装着された状態において情報記憶装置に登録された暗証符号と入力手段から入力された符号が一致した場合に、情報記憶装置に記憶された情報の電子機器による読出しを許可する。【選択図】        図２
2006260151.tif 000002
【特許請求の範囲】
【請求項１】
電子機器に着脱可能な情報記憶装置であって、
暗証符号が登録された読出し及び書込み可能な情報記憶手段と、前記暗証符号を操作者が入力する入力手段と、前記情報記憶装置が電子機器に装着された際に前記入力手段から入力された暗証符号を読み出す読出手段と、前記情報記憶装置に登録された暗証符号と前記入力手段から入力された符号が一致するか否かを判定する判定手段を有し、前記情報記憶装置が電子機器に装着された状態において当該情報記憶装置に登録された暗証符号と前記入力手段から入力された符号が一致した場合に、前記情報記憶装置に記憶された情報の前記電子機器による読出しを許可することを特徴とする情報記憶装置。
【請求項２】
前記情報記憶装置に登録された暗証符号と前記入力手段から入力された符号が不一致であった場合には、前記情報記憶装置に記憶された情報の前記電子機器による読出しを禁止することを特徴とする請求項１記載の情報記憶装置。
【請求項３】
前記情報記憶装置に登録された暗証符号と前記入力手段から入力された符号が一致した場合に、前記情報記憶装置に対しての前記電子機器による書込みを許可することを特徴とする請求項１又は請求項２記載の情報記憶装置。
【請求項４】
前記情報記憶装置に登録された暗証符号と前記入力手段から入力された符号が不一致であった場合には、前記情報記憶装置に対しての前記電子機器による書込みを禁止することを特徴とする請求項１乃至請求項３のいずれかに記載の情報記憶装置。
【請求項５】
前記入力手段は、複数輪のダイアルキー方式であることを特徴とする請求項１乃至請求項４のいずれかに記載の情報記憶装置。
【請求項６】
前記入力手段は、一輪のダイアルキー方式であることを特徴とする請求項１乃至請求項４のいずれかに記載の情報記憶装置。
【請求項７】
前記入力手段は、プッシュ型スイッチ方式であることを特徴とする請求項１乃至請求項４のいずれかに記載の情報記憶装置。
【請求項８】
前記情報記憶装置は、前記電子機器に装着された状態において前記入力手段から入力された暗証符号が認識された後は、入力した符号を変更しても読出し及び書込みが実行できることを特徴とする請求項１乃至請求項７のいずれかに記載の情報記憶装置。
【請求項９】
前記情報記憶装置に登録された暗証符号はその符号によって、前記情報記憶装置が前記電子機器に装着されて当該情報記憶装置に記憶されたデータが読み出された後に、前記データを編集することを禁止することを特徴とする請求項１乃至請求項８のいずれかに記載の情報記憶装置。
【請求項１０】
前記情報記憶装置に登録された暗証符号はその符号によって、前記情報記憶装置が前記電子機器に装着されて当該情報記憶装置に記憶されたデータが読み出された後に、前記データを編集することを許可することを特徴とする請求項１乃至請求項８のいずれかに記載の情報記憶装置。
【請求項１１】
前記情報記憶装置に登録された暗証符号はその符号によって、前記情報記憶装置が前記電子機器に装着されて当該情報記憶装置に記憶されたデータが読み出された後に、前記データの一部情報だけを編集することを許可することを特徴とする請求項１乃至請求項８のいずれかに記載の情報記憶装置。
【請求項１２】
前記情報記憶装置に登録された暗証符号はその符号によって、前記情報記憶装置が前記電子機器に装着されて当該情報記憶装置に記憶されたデータが読み出される際に、前記データの一部情報だけを読み出すことを許可することを特徴とする請求項１乃至請求項８のいずれかに記載の情報記憶装置。
【請求項１３】
前記情報記憶装置は、ＵＳＢフラッシュメモリ、ＨＤＤ、メモリカード、ＤＶＤ、ＣＤなど電子機器に装着する記憶装置のいずれかであることを特徴とする請求項１乃至請求項１２のいずれかに記載の情報記憶装置。
【請求項１４】
前記情報記憶装置は、画像形成装置に着脱されるプロセスカートリッジに装着するＩＤチップ等の記憶装置であることを特徴とする請求項１乃至請求項１２のいずれかに記載の情報記憶装置。
【請求項１５】
電子機器に着脱可能で、暗証符号が登録された読出し及び書込み可能な情報記憶手段を有する情報記憶装置の制御方法であって、
前記情報記憶装置に備えられた入力手段から前記暗証符号を操作者が入力するステップと、前記情報記憶装置が電子機器に装着された際に前記入力手段から入力された暗証符号を読み出すステップと、前記情報記憶装置に登録された暗証符号と前記入力手段から入力された符号が一致するか否かを判定するステップを有し、前記情報記憶装置が電子機器に装着された状態において当該情報記憶装置に登録された暗証符号と前記入力手段から入力された符号が一致した場合に、前記情報記憶装置に記憶された情報の前記電子機器による読出しを許可することを特徴とする情報記憶装置の制御方法。
【請求項１６】
前記情報記憶装置に登録された暗証符号と前記入力手段から入力された符号が一致するか否かを判定するステップで不一致であった場合には、前記情報記憶装置に記憶された情報の前記電子機器による読出しを禁止することを特徴とする請求項１５記載の情報記憶装置の制御方法。
【請求項１７】
前記情報記憶装置に登録された暗証符号と前記入力手段から入力された符号が一致するか否か判定するステップで一致した場合に、前記情報記憶装置に対しての前記電子機器による書込みを許可することを特徴とする請求項１５又は請求項１６記載の情報記憶装置の制御方法。
【請求項１８】
前記情報記憶装置に登録された暗証符号と前記入力手段から入力された符号が一致するか否かを判定するステップで不一致であった場合には、前記情報記憶装置に対しての前記電子機器による書込みを禁止することを特徴とする請求項１５乃至請求項１７のいずれかに記載の情報記憶装置の制御方法。
【請求項１９】
前記暗証符号を操作者が入力するステップは、複数輪のダイアルキー方式であることを特徴とする請求項１５乃至請求項１８のいずれかに記載の情報記憶装置の制御方法。
【請求項２０】
前記暗証符号を操作者が入力するステップは、一輪のダイアルキー方式であることを特徴とする請求項１５乃至請求項１８のいずれかに記載の情報記憶装置の制御方法。
【請求項２１】
前記暗証符号を操作者が入力するステップは、プッシュ型スイッチ方式であることを特徴とする請求項１５乃至請求項１８のいずれかに記載の情報記憶装置の制御方法。
【請求項２２】
前記情報記憶装置に登録された暗証符号と前記入力手段から入力された符号が一致するか否か判定するステップで一致したことを認識した後は、入力した符号を変更しても読出し及び書込みが実行できることを特徴とする請求項１５乃至請求項２１のいずれかに記載の情報記憶装置の制御方法。
【請求項２３】
前記情報記憶装置に登録された暗証符号と前記入力手段から入力された符号が一致するか否か判定するステップはその符号によって、前記情報記憶装置が前記電子機器に装着されて当該情報記憶装置に記憶されたデータが読み出された後に、前記データを編集することを禁止することを特徴とする請求項１５乃至請求項２２のいずれかに記載の情報記憶装置の制御方法。
【請求項２４】
前記情報記憶装置に登録された暗証符号と前記入力手段から入力された符号が一致するか否か判定するステップはその符号によって、前記情報記憶装置が前記電子機器に装着されて当該情報記憶装置に記憶されたデータが読み出された後に、前記データを編集することを許可することを特徴とする請求項１５乃至請求項２２のいずれかに記載の情報記憶装置の制御方法。
【請求項２５】
前記情報記憶装置に登録された暗証符号と前記入力手段から入力された符号が一致するか否か判定するステップはその符号によって、前記情報記憶装置が前記電子機器に装着されて当該情報記憶装置に記憶されたデータが読み出された後に、前記データの一部情報だけを編集することを許可することを特徴とする請求項１５乃至請求項２２のいずれかに記載の情報記憶装置の制御方法。
【請求項２６】
前記情報記憶装置に登録された暗証符号と前記入力手段から入力された符号が一致するか否か判定するステップはその符号によって、前記情報記憶装置が前記電子機器に装着されてデータが読み出される際に、前記データの一部情報だけを読み出すことを許可することを特徴とする請求項１５乃至請求項２２のいずれかに記載の情報記憶装置の制御方法。
【請求項２７】
前記情報記憶装置は、ＵＳＢフラッシュメモリ、ＨＤＤ、メモリカード、ＤＶＤ、ＣＤなど電子機器に装着する記憶装置のいずれかであることを特徴とする請求項１５乃至請求項２６のいずれかに記載の情報記憶装置の制御方法。
【請求項２８】
前記情報記憶装置は、画像形成装置に着脱されるプロセスカートリッジに装着するＩＤチップ等の記憶装置であることを特徴とする請求項１５乃至請求項２６のいずれかに記載の情報記憶装置の制御方法。
【発明の詳細な説明】
【技術分野】
【０００１】
本願発明は、電子機器に着脱可能に装着する情報記憶装置の内部データのセキュリティ管理を適正に行うことができる情報記憶装置及びその制御方法に関するものである。
【背景技術】
【０００２】
ＰＣ（パーソナルコンピュータ）などに着脱可能に装着するＵＳＢフラッシュメモリ等では、最近暗号化方式のものが市場に出ている。ＵＳＢフラッシュメモリ等をＰＣに装着した際にＰＣ上でパスワードを入力してデータが見られるようにするものである（例えば、特許文献１参照）。
【０００３】
ＰＣを始めとする電子機器にユーザが着脱可能な情報記憶装置としては例えばＵＳＢフラッシュメモリやＤＶＤやメモリカードなどがあるが、こうした情報記憶装置の情報記憶部にはセキュリティを必要とするデータが含まれている場合が多い。
【０００４】
例えば、企業における顧客リスト情報、市役所や区役所などにおける住民情報、医療機関における患者の医療情報などが該当する。また、一般の個人ユーザの場合には個人情報などが該当する。
【０００５】
このような情報が記憶された情報記憶装置が不正な第三者によって盗難された場合には、情報記憶装置に記憶された情報が容易に盗用され、コピーされるという恐れがある。特に、昨今ではこのような個人情報が流出することは社会問題にさえなっているのが実情である。
【０００６】
これを防止する方法として、情報記憶装置にセキュリティロック機能を設けて、本体の電子機器から外す場合にはパスワードを入力して該情報記憶装置に記憶されているデータを暗号化する方式が知られている。この方式では確かに情報記憶装置を盗難されても内部のデータが盗用されにくいという効果はある。
【特許文献１】特開２００１−２４９８４９号公報
【発明の開示】
【発明が解決しようとする課題】
【０００７】
しかしながら、情報記憶装置の本来の所有者が通常に電子機器に装着する際や取外す際にもパスワードを入力してロック機能を開錠、施錠する必要があり、操作性が煩雑になるという問題がある。
【０００８】
例えば、近年市場に出ているセキュリティ機能付きのＵＳＢフラッシュメモリの場合、装着しているＰＣから取り外すときにうっかりパスワードの入力を忘れてロック機能を施錠しないまま取り外してしまった場合には、再度ＰＣに装着してパスワードを入力する必要がある。しかも、このときＰＣの電源までＯＦＦしていた場合にはＰＣを立ち上げなおす作業が発生することになってしまい、非常に面倒な操作になってしまうという不具合がある。
【０００９】
そこで、本願発明は、こうした従来技術の問題に鑑みて、操作性を煩わせることなく、記憶されたデータのセキュリティの向上が図られた情報記憶装置及びその制御方法を提供することを目的とするものである。
【課題を解決するための手段】
【００１０】
上記のような目的を達成するために、本願発明は、電子機器に着脱可能な情報記憶装置であって、暗証符号が登録された読出し及び書込み可能な情報記憶手段と、前記暗証符号を操作者が入力する入力手段と、前記情報記憶装置が電子機器に装着された際に前記入力手段から入力された暗証符号を読み出す読出手段と、前記情報記憶装置に登録された暗証符号と前記入力手段から入力された符号が一致するか否かを判定する判定手段を有し、前記情報記憶装置が電子機器に装着された状態において当該情報記憶装置に登録された暗証符号と前記入力手段から入力された符号が一致した場合に、前記情報記憶装置に記憶された情報の前記電子機器による読出しを許可することを特徴とするものである。
【００１１】
また、前記情報記憶装置に登録された暗証符号と前記入力手段から入力された符号が不一致であった場合には、前記情報記憶装置に記憶された情報の前記電子機器による読出しを禁止することを特徴とするものである。
【００１２】
さらに、前記情報記憶装置に登録された暗証符号と前記入力手段から入力された符号が一致した場合に、前記情報記憶装置に対しての前記電子機器による書込みを許可することを特徴とするものである。
【００１３】
また、前記情報記憶装置に登録された暗証符号と前記入力手段から入力された符号が不一致であった場合には、前記情報記憶装置に対しての前記電子機器による書込みを禁止することを特徴とするものである。
【００１４】
そして、前記入力手段は、複数輪のダイアルキー方式であることを特徴とするものである。
【００１５】
または、前記入力手段は、一輪のダイアルキー方式であることを特徴とするものである。
【００１６】
あるいは、前記入力手段は、プッシュ型スイッチ方式であることを特徴とするものである。
【００１７】
また、前記情報記憶装置は、前記電子機器に装着された状態において前記入力手段から入力された暗証符号が認識された後は、入力した符号を変更しても読出しや書込みが実行できることを特徴とするものである。
【００１８】
一方、前記情報記憶装置に登録された暗証符号はその符号によって、前記情報記憶装置が前記電子機器に装着されて当該情報記憶装置に記憶されたデータが読み出された後に、前記データを編集することを禁止することを特徴とするものである。
【００１９】
また、前記情報記憶装置に登録された暗証符号はその符号によって、前記情報記憶装置が前記電子機器に装着されて当該情報記憶装置に記憶されたデータが読み出された後に、前記データを編集することを許可することを特徴とするものである。
【００２０】
また、前記情報記憶装置に登録された暗証符号はその符号によって、前記情報記憶装置が前記電子機器に装着されて当該情報記憶装置に記憶されたデータが読み出された後に、前記データの一部情報だけを編集することを許可することを特徴とするものである。
【００２１】
また、前記情報記憶装置に登録された暗証符号はその符号によって、前記情報記憶装置が前記電子機器に装着されて当該情報記憶装置に記憶されたデータが読み出される際に、前記データの一部情報だけを読み出すことを許可することを特徴とするものである。
【００２２】
そして、前記情報記憶装置は、ＵＳＢフラッシュメモリ、ＨＤＤ、メモリカード、ＤＶＤ、ＣＤなど電子機器に装着する記憶装置のいずれかであることを特徴とするものである。
【００２３】
また、前記情報記憶装置は、画像形成装置に着脱されるプロセスカートリッジに装着するＩＤチップ等の記憶装置であることを特徴とするものである。
【００２４】
一方、電子機器に着脱可能で、暗証符号が登録された読出し及び書込み可能な情報記憶手段を有する情報記憶装置の制御方法であって、前記情報記憶装置に備えられた入力手段から前記暗証符号を操作者が入力するステップと、前記情報記憶装置が電子機器に装着された際に前記入力手段から入力された暗証符号を読み出すステップと、前記情報記憶装置に登録された暗証符号と前記入力手段から入力された符号が一致するか否かを判定するステップを有し、前記情報記憶装置が電子機器に装着された状態において当該情報記憶装置に登録された暗証符号と前記入力手段から入力された符号が一致した場合に、前記情報記憶装置に記憶された情報の前記電子機器による読出しを許可することを特徴とするものである。
【００２５】
また、前記情報記憶装置に登録された暗証符号と前記入力手段から入力された符号が一致するか否かを判定するステップで不一致であった場合には、前記情報記憶装置に記憶された情報の前記電子機器による読出しを禁止することを特徴とするものである。
【００２６】
さらに、前記情報記憶装置に登録された暗証符号と前記入力手段から入力された符号が一致するか否か判定するステップで一致した場合に、前記情報記憶装置に対しての前記電子機器による書込みを許可することを特徴とするものである。
【００２７】
また、前記情報記憶装置に登録された暗証符号と前記入力手段から入力された符号が一致するか否かを判定するステップで不一致であった場合には、前記情報記憶装置に対しての前記電子機器による書込みを禁止することを特徴とするものである。
【００２８】
そして、前記暗証符号を操作者が入力するステップは、複数輪のダイアルキー方式であることを特徴とするものである。
【００２９】
または、前記暗証符号を操作者が入力するステップは、一輪のダイアルキー方式であることを特徴とするものである。
【００３０】
あるいは、前記暗証符号を操作者が入力するステップは、プッシュ型スイッチ方式であることを特徴とするものである。
【００３１】
また、前記情報記憶装置に登録された暗証符号と前記入力手段から入力された符号が一致するか否か判定するステップで一致したことを認識した後は、入力した符号を変更しても読出し及び書込みが実行できることを特徴とするものである。
【００３２】
一方、前記情報記憶装置に登録された暗証符号と前記入力手段から入力された符号が一致するか否か判定するステップはその符号によって、前記情報記憶装置が前記電子機器に装着されて当該情報記憶装置に記憶されたデータが読み出された後に、前記データを編集することを禁止することを特徴とするものである。
【００３３】
また、前記情報記憶装置に登録された暗証符号と前記入力手段から入力された符号が一致するか否か判定するステップはその符号によって、前記情報記憶装置が前記電子機器に装着されて当該情報記憶装置に記憶されたデータが読み出された後に、前記データを編集することを許可することを特徴とするものである。
【００３４】
また、前記情報記憶装置に登録された暗証符号と前記入力手段から入力された符号が一致するか否か判定するステップはその符号によって、前記情報記憶装置が前記電子機器に装着されて当該情報記憶装置に記憶されたデータが読み出された後に、前記データの一部情報だけを編集することを許可することを特徴とするものである。
【００３５】
また、前記情報記憶装置に登録された暗証符号と前記入力手段から入力された符号が一致するか否か判定するステップはその符号によって、前記情報記憶装置が前記電子機器に装着されてデータが読み出される際に、前記データの一部情報だけを読み出すことを許可することを特徴とするものである。
【００３６】
そして、前記情報記憶装置は、ＵＳＢフラッシュメモリ、ＨＤＤ、メモリカード、ＤＶＤ、ＣＤなど電子機器に装着する記憶装置のいずれかであることを特徴とするものである。
【００３７】
また、前記情報記憶装置は、画像形成装置に着脱されるプロセスカートリッジに装着するＩＤチップ等の記憶装置であることを特徴とするものである。
【発明の効果】
【００３８】
本願発明によれば、電子機器に着脱可能な情報記憶装置に暗証符号を入力する入力手段を備え、登録された暗証符号と入力された符号が一致したときにデータの読出しを許可することにより、操作性を煩わせることなく、暗証符号を知っている者だけがデータを見ることができることになり、情報記憶装置のセキュリティレベルが高くなる。
【００３９】
また、入力された符号が登録された暗証符号と一致しない場合はデータの読出しをできなくすることによって、第三者はデータを見られなくなり、情報記憶装置のセキュリティレベルが高くなる。
【００４０】
さらに、入力された符号が登録された暗証符号と一致したときに情報記憶装置に対する書込みを許可し、また不一致のときは禁止することによって、不正な第三者によるデータの改竄などを防止することができる。
【００４１】
そして、暗証符号を入力する入力手段を複数輪のダイアルキーとすることによって、操作性に優れ、しかも電源が供給されてない状態においても入力符号を変更することが可能となり、従来機種にあった煩雑さを解消することが可能となる。
【００４２】
しかし、複数輪のダイアルキーでは、操作者がうっかり暗証符号にセットしたままの状態にしておいた場合には、他人に簡単に暗証符号を知られる心配がある。一方、一輪のダイアルキー方式では前記と同様な効果に加えて、上記のような心配もなく暗証符号のセキュリティレベルを高めることができる。
【００４３】
また、暗証符号をタッチパネルのようなプッシュ型スイッチにすることで、複数輪のダイアルキー方式と同様な効果に加えて一輪のダイアルキー方式と同様に暗証符号をセットしたままの状態にしておいても暗証符号を他人に知られる心配がない。また、ダイアルキー方式よりも操作性に優れる長所がある。
【００４４】
また、入力した暗証符号が認識された後は、電子機器に装着した状態で入力した符号を変更しても読出しや書込みが実行できるようにすることにより、入力した符号が変更できるので、他人に暗証符号を知られる心配がなくなる。
【００４５】
一方、暗証符号によって情報記憶装置から電子機器に読み出されたデータの編集を不可とすることで、第三者によってデータが改竄されることを防止することができ、セキュリティレベルを二重に高めることができる。
【００４６】
また、暗証符号によって情報記憶装置から電子機器に読み出されたデータの編集を可とすることで、正当なユーザにとってセキュリティレベルを保持しながらデータ編集の自由度を高めることができる。
【００４７】
また、暗証符号によって情報記憶装置から電子機器に読み出されたデータの編集を一部可とすることで、第三者に当該情報記憶装置内部の一部データ変更などを依頼する場合であっても他の必要なデータは編集不可とすることができ、一部データ編集の自由度を保持しながら他のデータ改竄の防止を図ることができる。
【００４８】
また、暗証符号によって情報記憶装置から読み出されるデータを制限することで、第三者に見られたくないデータがある場合は、見られてもよいデータだけを読出し可に設定すればよく、情報のセキュリティレベルは一層高いものとなる。
【００４９】
そして、本願発明の情報記憶装置をＵＳＢフラッシュメモリ、ＨＤＤ、メモリカード、ＤＶＤ、ＣＤのいずれかとすることで、これらが持つ多彩な情報の機密性を保護することが可能となる。
【００５０】
また、本願発明の情報記憶装置を画像形成装置に着脱されるプロセスカートリッジに装着するＩＤチップ等の記憶装置とすることで、プロセスカートリッジの持つ多彩な情報の機密性を保護することが可能となる。
【発明を実施するための最良の形態】
【００５１】
以下、本願発明の実施形態を図面を参照して詳細に説明する。
【００５２】
図１は、本願発明の一実施形態の電子機器としてパーソナルコンピュータ（ＰＣ）を示す概略ブロック構成図である。
【００５３】
このＰＣ１は、ＣＰＵ２にバス２１を介してメモリ部３の他にハードディスクドライブ（ＨＤＤ）制御部６、他の補助記憶装置制御部７、ディスプレイ制御部８、キーボード制御部９、マウス制御部１０、プリンタ制御部１１、通信用制御部１２、ＤＭＡコントローラ１３などが接続されており、これらの制御部６〜１２及びＤＭＡコントローラ１３が入出力を制御している。
【００５４】
ここで、メモリ部３は、ＲＯＭ４とＤＲＡＭ５とを備えており、ＲＯＭ４には起動用プログラム、ＤＲＡＭ５には実行用プログラムなどが記憶される。
【００５５】
ＨＤＤ制御部６には、補助記憶装置であるＨＤＤ駆動装置１４が接続されている。他の補助記憶装置制御部７には、ＦＤＤやＣＤやＤＶＤやＵＳＢフラッシュメモリなどのＰＣ１本体に着脱可能な他の補助記憶装置１５が接続される。
【００５６】
また、ディスプレイ制御部８には表示用のディスプレイ１６、キーボード制御部９にはキーボード１７、マウス制御部１０にはマウス１８、プリンタ制御部１１にはプリンタ１９が接続される。通信用制御部１２には電話回線との間での通信を可能にするモデム２０などが接続される。
【００５７】
このような汎用のＰＣ１において、ＨＤＤ，及びＦＤＤやＣＤやＤＶＤやＵＳＢフラッシュメモリなどの補助記憶装置がＰＣ１本体に装着可能な情報記憶装置として使用される。
【００５８】
以上のように構成されたＰＣ１の制御動作と第１の実施形態における情報記憶装置の暗号化の動作について図２のフローチャートに基いて説明する。本実施形態では、ＰＣ１本体に着脱可能な情報記憶装置としてＵＳＢフラッシュメモリを用いるものとする。
【００５９】
図２に示すフローは、主にＵＳＢフラッシュメモリ（ＵＳＢ−ＦＭ）の内部回路によって実行される。
【００６０】
このＵＳＢ−ＦＭには、３輪のダイアルキーが装備されており、各輪のダイアルは“０”から“９”の数字が記載されている。このＵＳＢ−ＦＭには、オーナーユーザのみが知っている暗証番号が登録されており、ここでは“７２４”が登録されているものとする。
【００６１】
まず、ＵＳＢ−ＦＭのオーナーであるユーザがデータをＰＣ１上で見るためにＵＳＢ−ＦＭをＰＣ１に装着する（ステップＳ２０１、以下単にＳ２０１というように記載する）。次に、３輪ダイアルキーをこのＵＳＢ−ＦＭの暗証番号にセットする（Ｓ２０２）。
【００６２】
ここで、ＵＳＢ−ＦＭの登録暗証番号である“７２４”に入力暗証番号が一致すれば（Ｓ２０３のＹＥＳ）、ＵＳＢ−ＦＭからＰＣ１に読出し許可信号が送信される（Ｓ２０４）。その後、ＰＣ１にＵＳＢ−ＦＭに記憶されたデータが送信されてＰＣ１上でデータが表示される（Ｓ２０５）。ＰＣ１にデータが表示された後は、ＵＳＢ−ＦＭのダイアルキーを登録暗証番号以外のアトランダムな番号にセットすることが可能となる。
【００６３】
一方、入力暗証番号が登録暗証番号に一致しない場合は、ＵＳＢ−ＦＭはＰＣ１に読出し禁止信号を送信して（Ｓ２０３のＮＯ→Ｓ２０６）、ＰＣ１上でデータは表示されない。つまり、登録暗証番号を知らないオーナーユーザ以外のユーザが、このＵＳＢ−ＦＭを使用しようとしてもデータは見られないことになり、データのセキュリティが保持される。
【００６４】
また、データ表示後にダイアルキーを変更可能とすることで、操作中に他の第三者によって登録暗証番号が覗かれる心配もなくなる。
【００６５】
次に、ユーザがＰＣ１上で編集したデータをＵＳＢ−ＦＭに格納させる場合であるが、この場合にはデータをＰＣ１からＵＳＢ−ＦＭに送信する送信命令を出す（Ｓ２０７）。このとき、ＵＳＢ−ＦＭのダイアルキーが登録暗証番号に一致していれば（Ｓ２０８のＹＥＳ）、ＵＳＢ−ＦＭからＰＣ１に書込み許可信号が送信される（Ｓ２０９）。そして、ＰＣ１がこの信号を認識してＰＣ１からＵＳＢ−ＦＭにデータが送信される（Ｓ２１１）。一致しない場合はＵＳＢ−ＦＭからＰＣ１に書込み禁止信号を送信し、データは送信されない（Ｓ２０８のＮＯ→Ｓ２１０）。
【００６６】
ここでも、登録暗証番号を知らないオーナーユーザ以外のユーザが、このＵＳＢ−ＦＭにデータを書き込もうとしてもできないことになり、データのセキュリティが保持されることになる。
【００６７】
そして、ユーザはダイアルキーを暗証番号以外の番号にセットして（Ｓ２１２），即ちアトランダムな番号にセットしてＰＣ１からＵＳＢ−ＦＭを取外す（Ｓ２１３）。これでオーナーユーザ以外の者には登録暗証番号はわからないことになり、セキュリティが保持される。
【００６８】
ここで、暗証番号はダイアルキーで操作されるため、破線で示すように順序を逆にしてＰＣ１から取外した後にダイアルキーをアトランダムな番号にセットすることも可能になる（Ｓ２１４，Ｓ２１５）。このため、操作者がうっかりミスでダイアルキーを暗証番号に合わせたままＰＣ１の電源をＯＦＦしても、その後に気がついたときに即座に変更することができる。
【００６９】
図３に上記ＵＳＢ−ＦＭの内部ブロック図の一例を示す。
【００７０】
図３に示すＵＳＢ−ＦＭ３０に備えられたダイアルキー３１は、３輪で構成され各輪は“０”から“９”の算用数字で構成されている。上記ダイアルキー３１と共に本願発明の入力手段を構成する入力回路３２は、電源３２ａ、メタル配線３２ｂ、抵抗３２ｃ，３２ｄ、スイッチ３２ｅで構成され、電源３２ａはＵＳＢ−ＦＭ３０がＰＣ１等の電子機器３４に装着された時にＰＣ１等の電子機器３４から供給されるようになっている。一般に５Ｖか３．３Ｖ電源が供給される。抵抗はプルアップ抵抗３２ｃとプルダウン抵抗３２ｄの２種類あり、その抵抗比はプルアップ：プルダウン＝１０Ｒ：１Ｒくらいに設定しておけばよい。これで電源３２ａがＰＣ１等の電子機器３４から供給された状態においてスイッチ３２ｅがＯＦＦされているときには、次段の記憶制御回路３３には“Ｈ”、ＯＮされたときには“Ｌ”が入力されることになる。
【００７１】
各スイッチ３２ｅは、ダイアルキー３１の各輪に接続されるものであり、それぞれダイアルキー３１の各輪の番号に応じてＯＮ／ＯＦＦが決まる。これはメカニカルスイッチで構成されており、電源が投入されていない状態でもＯＮ／ＯＦＦの制御は可能となるものである。この図の例では、３輪のダイアルキー３１が“７”，“２”，“４”に設定されたときに全てのスイッチ３２ｅがＯＮされることになる。
【００７２】
記憶制御回路３３は、ロジック（ＬＯＧＩＣ）回路と記憶素子から構成されており、本願発明の情報記憶手段と読出手段と判定手段を構成する。この記憶制御回路３３の電源もＵＳＢ−ＦＭ３０がＰＣ１等の電子機器３４に装着された時にＰＣ１等の電子機器３４から供給されるものである。前記入力回路３２から出力される信号が入力されるが、この信号が全て“Ｌ”になったときに本ＵＳＢ−ＦＭ３０が装着されている電子機器３４に読出し／書込み許可信号を送信する。電子機器３４は読出し許可信号を受けたときには前記記憶制御回路３３の記憶素子内のデータ読出しを行い、書込み許可信号を受けたときには電子機器３４内のデータを記憶制御回路３３の記憶素子に書き込むことが可能となる。
【００７３】
前記入力回路３２から出力される信号の全てが“Ｌ”になっていない場合は、読出し／書込み禁止信号を送信する。この場合は、ＵＳＢ−ＦＭ３０と電子機器３４の間でデータの送受信は不可となる。
【００７４】
このような構成を持つＵＳＢ−ＦＭ３０を操作者が電子機器３４に装着した後に、本ＵＳＢ−ＦＭ３０のダイアルキー３１を暗証番号である“７２４”にセットすると、電子機器３４に読出し／書込み許可信号が送信されて電子機器３４との間でデータの読出し，書込みが実行できる状態になる。“７２４”以外の番号にセットすると読出し／書込み禁止信号が送信されてデータの読出し，書込みは実行できない。暗証番号が認識されて読出し／書込み許可信号が一旦送信されると、ダイアルキー３１は暗証番号“７２４”以外の番号に変更してもデータの読出し，書込みに支障はないものとする。これは前記入力回路３２の信号を受ける記憶制御回路３３のロジック回路部の設定で簡単に構成可能である。そうすることで、例え操作者がＵＳＢ−ＦＭ３０を電子機器３４に装着してデータの読出しを行っているときでも、席を離れる際にダイアルキー３１を暗証番号以外の番号に変更しておけば他人に暗証番号を見られる心配がなくなる。
【００７５】
次に、ＵＳＢ−ＦＭ３０を電子機器３４から取り外す場合であるが、本来ダイアルキー３１を暗証番号以外の番号にセットした後に取り外すのが望ましいが、暗証番号にセットしたまま取り外した場合であっても、その後ダイアルキー３１を暗証番号以外の番号にセットするばよい。これは、ダイアルキー３１と入力回路３２のスイッチ３２ｅがメカニカルな構成であるため、電子機器３４から電源の供給を受けていない状態でも作動するため可能となる。そのため、オーナーユーザである操作者がダイアルキー３１をうっかり暗証番号にセットしたまま取り外しても、その後にアトランダムな番号にセットすればよく、操作性の煩雑さがなくなる。
【００７６】
なお、図３では、暗証番号の操作キーを３輪のダイアルキー３１としたが、これを１輪のダイアルキーで同様の操作を実行することも可能である。１輪の場合は暗証番号のセット方法は例えば右廻りに”７”、左廻りに”２”、次にまた右廻りに”４”という方式にすればよい。回路構成としては、入力回路３２は同様に３つ必要であるが、この場合は暗証番号が一つずつセットされるときに図３で示す入力回路３２のスイッチ３２ｅが上段，中断，下段の順番にＯＮされていく構成とする。また、もう１回左廻りに廻すと全てのスイッチ３２ｅがＯＦＦされる構成とする。
【００７７】
３輪のダイアルキー３１の場合、暗証番号をセットしたままにしていると他の第三者にその番号を見られる可能性が否定できないが、１輪のダイアルキー構成にしておけば、そうした心配が不要になる長所がある。
【００７８】
さらに、ダイアルキーの代わりにプッシュ型スイッチを用いることも可能である。この場合は、ＵＳＢ−ＦＭ３０に“０”から“９”の数字が明示されたタッチパネル型のプッシュスイッチを配列し、操作者が“７２４”の順番にプッシュスイッチを押すと暗証番号が認識される。タッチパネルなどのような種類のスイッチにしておけば第三者に暗証番号が見られる心配がない。しかもダイアルキー方式に比べて操作性が向上する。内部の回路構成は３輪のダイアルキー方式と同様である。
【００７９】
なお、上記図２，図３の説明では、暗証番号は“０”〜“９”の算用数字を想定しているが、これは一例であってアルファベットでもその他の記号でもよい。
【００８０】
また、本願発明の更なる特徴として、情報記憶装置に登録された複数の暗証番号によって読み出したデータの編集権限を異なる設定にすることが可能となる。すなわち暗証番号によって、
・読出し可／（読み出したデータの）編集可
・読出し可／編集一部可
・読出し可／編集不可
とすることである。ＵＳＢ−ＦＭ３０などの情報記憶装置から読み出したデータをＰＣ１などの電子機器３４上で編集一部可や編集不可などの制限を加えることによって情報のセキュリティレベルを高くすることが可能となる。ここで読み出したデータを編集可，一部可，禁止とする方法であるが、最初に情報記憶装置の設定を「読出し可／編集可」にしてデータを電子機器３４に送信し、電子機器３４上で読み出したデータを必要に応じて編集一部可，編集不可，編集可の設定を行う。そして、そのデータを情報記憶装置に送信すると情報記憶装置はデータの編集種別を認識して、編集可のデータと不可のデータを当該情報記憶装置内の記憶素子のそれぞれ異なる領域に配置する。その後、暗証番号が読出し可にセットされたときは、情報記憶装置に記憶されたデータはすべて電子機器３４上で読み出されるが、
・読出し可／編集可    …すべてのデータが編集可
・読出し可／編集不可  …すべてのデータが編集不可
・読出し可／編集一部可…記憶素子の編集可の領域に配置されたデータのみ編集可
という機能を有する。
【００８１】
さらに、情報記憶装置に登録された暗証番号によって情報記憶装置に記憶されたデータの読出しに制限を加えることを可能とすることも本願発明の特徴である。すなわち、暗証番号によって一部データのみ読出し可とすることである。このような設定を加えることで情報記憶装置内に例えばユーザオーナが他人に見られたくないデータがあるときは、「読出し一部可」の設定にして見られてもよいデータだけを電子機器３４に送信するようにすればよく、情報のセキュリティレベルは一層高いものとなる。
【００８２】
ここで、一部データのみ読出し可とする方法であるが、最初に情報記憶装置の設定を「読出し可／編集可」にしてデータを電子機器３４に送信し、電子機器３４上で読み出したデータを必要に応じて読出し可／不可の設定を行う。そして、そのデータを情報記憶装置に送信すると情報記憶装置はデータの読出し可／不可種別を認識して読出し可のデータと不可のデータを記憶制御回路３３内の記憶素子内のそれぞれ異なる領域に配置する。その後、暗証番号の設定が、
・読出し可    …すべてのデータが読出し可
・読出し一部可…記憶素子の読出し可の領域に配置されたデータのみ読出し可
という機能を有する。
【００８３】
これらの動作を図４のフローチャートに示す。
【００８４】
すなわち、まずＵＳＢ−ＦＭのオーナーであるユーザがデータをＰＣ上で見るためにＵＳＢ−ＦＭをＰＣに装着する（Ｓ４０１）。次に、ダイアルキーをこのＵＳＢ−ＦＭの暗証番号にセットする（Ｓ４０２）。
【００８５】
ここで、セットされたダイアルキーは読出し可，編集可の暗証番号か否かをチェックし（Ｓ４０３）、そうであれば、ＵＳＢ−ＦＭからＰＣに読出し許可信号を送信し、ＰＣがＵＳＢ−ＦＭに記憶されたデータを読出し、ＰＣ上に表示する（Ｓ４０３のＹＥＳ→Ｓ４０４）。そして、ＰＣ上で読み出したデータを編集する（Ｓ４０５）。ＰＣにデータが表示された後は、ＵＳＢ−ＦＭのダイアルキーを登録暗証番号以外のアトランダムな番号にセットすることが可能となる。
【００８６】
一方、セットされたダイアルキーが読出し可，編集可の暗証番号でない場合は、次に読出し可，編集一部可の暗証番号か否かをチェックし（Ｓ４０３のＮＯ→Ｓ４０６）、そうであれば、ＵＳＢ−ＦＭからＰＣに読出し許可信号を送信し、ＰＣがＵＳＢ−ＦＭに記憶されたデータを読出し、ＰＣ上に表示する（Ｓ４０６のＹＥＳ→Ｓ４０７）。そして、ＰＣ上で読み出したデータのうち編集可能領域のデータのみを編集可能とする（Ｓ４０８）。
【００８７】
また、セットされたダイアルキーが読出し可，編集一部可の暗証番号でもない場合は、次に読出し可，編集不可の暗証番号か否かをチェックし（Ｓ４０６のＮＯ→Ｓ４０９）、そうであれば、ＵＳＢ−ＦＭからＰＣに読出し許可信号を送信し、ＰＣがＵＳＢ−ＦＭに記憶されたデータを読出し、ＰＣ上に表示する（Ｓ４０９のＹＥＳ→Ｓ４１０）。そして、ＰＣ上で読み出したデータの編集は不可とする（Ｓ４０８）。
【００８８】
さらに、セットされたダイアルキーが読出し可，編集不可の暗証番号でもない場合は、次に読出し一部可の暗証番号か否かをチェックし（Ｓ４０９のＮＯ→Ｓ４１２）、そうであれば、ＵＳＢ−ＦＭからＰＣに読出し一部許可信号を送信し（Ｓ４１２のＹＥＳ→Ｓ４１３）、ＰＣがＵＳＢ−ＦＭの読出し可能領域に記憶されたデータを読出し、ＰＣ上に表示する（Ｓ４１４）。そして、ＰＣ上で読み出したデータの編集は不可とする（Ｓ４１５）。なお、ここで読み出されたデータは読出し一部可のデータだけであるので、場合によっては編集可としてもよく、更には、読出し一部可のデータを編集可と編集不可の処理に分けて制御するようにしてよい。
【００８９】
セットされたダイアルキーが上述したいずれの暗証番号とも一致しない場合は、ＰＣ上でデータは表示されない（Ｓ４１２のＮＯ→Ｓ４０２）。つまり、暗証番号を全く知らないオーナーユーザ以外のユーザが、このＵＳＢ−ＦＭを使用しようとしてもデータは全く見られないことになり、データのセキュリティが保持される。
【００９０】
また、データ表示後にダイアルキーを変更可能とすることで、操作中に他の第三者によって暗証番号が覗かれる心配もなくなる。
【００９１】
次に、前述したＳ４０５又はＳ４０８でユーザがＰＣ上で編集したデータをＵＳＢ−ＦＭに格納させる場合であるが、この場合には編集後にデータをＰＣからＵＳＢ−ＦＭに送信する送信命令を出す（Ｓ４０５又はＳ４０８）。このとき、ＵＳＢ−ＦＭのダイアルキーが編集可又は編集一部可の暗証番号に一致していれば（Ｓ４１６のＹＥＳ）、ＵＳＢ−ＦＭからＰＣに書込み許可信号が送信される（Ｓ４１７）。そして、ＰＣがこの信号を認識してＰＣからＵＳＢ−ＦＭにデータが送信される（Ｓ４１８）。一致しない場合はＵＳＢ−ＦＭからＰＣに書込み禁止信号を送信し、データは送信されない（Ｓ４１６のＮＯ→Ｓ４１９）。
【００９２】
ここでも、編集可又は編集一部可の暗証番号を知らないオーナーユーザ以外のユーザがこのＵＳＢ−ＦＭにデータを書き込もうとしてもできないことになり、データのセキュリティが保持されることになると共に改竄を防ぐことができる。
【００９３】
そして、ユーザはダイアルキーを上述した暗証番号以外の番号にセットして（Ｓ４２０），即ちアトランダムな番号にセットしてＰＣからＵＳＢ−ＦＭを取外す（Ｓ４２１）。これでオーナーユーザ以外の者にはいずれの暗証番号もわからないことになり、セキュリティが保持される。
【００９４】
ここでも、暗証番号はダイアルキーで操作されるため、破線で示すように順序を逆にしてＰＣから取外した後にダイアルキーをアトランダムな番号にセットすることも可能になる（Ｓ４２２，Ｓ４２３）。このため、操作者がうっかりミスでダイアルキーを暗証番号に合わせたままＰＣの電源をＯＦＦしても、その後に気がついたときに即座に変更することができる。
【００９５】
なお、データの編集の可／一部可／不可及び読出しの可／一部可の設定は、データの読出し可，編集可の最上位のオーナーユーザだけが操作できるＳ４０５のデータ編集の際に設定できるようにすればよい。
【図面の簡単な説明】
【００９６】
【図１】本願発明の一実施形態の電子機器としてパーソナルコンピュータ（ＰＣ）を示す概略ブロック構成図。
【図２】本願発明の一実施形態の動作を示すフローチャート。
【図３】本願発明の一実施形態のＵＳＢ−ＦＭの内部ブロック図。
【図４】本願発明の他の実施形態の動作を示すフローチャート。
【符号の説明】
【００９７】
１  ＰＣ（パーソナルコンピュータ）
３０  ＵＳＢ−ＦＭ（ＵＳＢフラッシュメモリ）
３１  ダイアルキー
３２  入力回路
３２ａ  電源
３２ｃ，３２ｄ  抵抗
３２ｅ  スイッチ
３３  記憶制御回路
３４  電子機器
【図１】
2006260151.tif 000003
【図２】
2006260151.tif 000004
【図３】
2006260151.tif 000005
【図４】
2006260151.tif 000006